(57)【要約】  着用者の胸を支持する背中開きサポートブラジャーであって、着用者の背中の遮るものがない見た目を提供するように特に構成されたカップおよび種々のストラップを利用し、それにより、着用者が本発明の背中開きサポートブラジャーの上に背中開きタイプの衣服を着用することを可能にする、背中開きサポートブラジャー。背中開きサポートブラジャーの、説明されるバージョンのうちのいくつかは、さらに、着用者の胸部中央区域の遮るものがない見た目を提供する方式で着用者の胸を支持し、それにより、着用者がカットの深いネックラインまたはプランジングネックラインをもつ衣服を着用することを可能にする。
2019525021.tif 000002
【特許請求の範囲】
【請求項１】
第１のカップおよび第２のカップであって、前記背中開きサポートブラジャーが着用者によって着用されたとき、前記第１のカップおよび前記第２のカップのそれぞれが、前記着用者の各胸を支持するように構成される、第１のカップおよび第２のカップと、
前記第１のカップおよび前記第２のカップを上方へ支持するための第１の端部および第２の端部を有する少なくとも１つの上部ストラップと、
第１の下部ストラップおよび第２の下部ストラップであって、前記第１の下部ストラップおよび前記第２の下部ストラップのそれぞれが、前記第１のカップおよび前記第２のカップを下方へ支持するための第１の端部および第２の端部を有し、前記第１の下部ストラップが、前記着用者の骨盤領域を通って延在し、前記着用者の一方の脚の周りに延在するように構成され、前記第２の下部ストラップが、前記着用者の前記骨盤領域を通って延在し、前記着用者の他方の脚の周りに延在するように構成される、第１の下部ストラップおよび第２の下部ストラップと、
を備える背中開きサポートブラジャー。
【請求項２】
前記第１のカップと前記第２のカップとが、互いに直接取り付けられていない、請求項１に記載の背中開きサポートブラジャー。
【請求項３】
前記第１の下部ストラップの前記第１の端部が、前記第１のカップに取り付けられ、前記第１の下部ストラップの前記第２の端部が、前記第２のカップに取り付けられ、前記第２の下部ストラップの前記第１の端部が、前記第２のカップに取り付けられ、前記第２の下部ストラップの前記第２の端部が、前記第１のカップに取り付けられる、請求項２に記載の背中開きサポートブラジャー。
【請求項４】
前記背中開きサポートブラジャーが前記着用者によって着用されたとき、前記第１の下部ストラップおよび前記第２の下部ストラップの概ね全体が前記着用者の前面部に沿って配置され、その結果、前記着用者の背中の概ね全体が、前記第１の下部ストラップおよび前記第２の下部ストラップ、ならびに前記少なくとも１つの上部ストラップによって遮られない、請求項１に記載の背中開きサポートブラジャー。
【請求項５】
前記少なくとも１つの上部ストラップ、ならびに前記第１の下部ストラップおよび前記第２の下部ストラップが、前記第１のカップおよび前記第２のカップのうちの少なくとも一方に永続的に固定される、請求項１に記載の背中開きサポートブラジャー。
【請求項６】
前記第１の下部ストラップおよび前記第２の下部ストラップのうちの少なくとも一方が、前記第１のカップおよび前記第２のカップのうちの少なくとも一方に取外し可能に連結される、請求項１に記載の背中開きサポートブラジャー。
【請求項７】
前記少なくとも１つの上部ストラップが、第１の上部ストラップと第２の上部ストラップとからなり、前記第１の上部ストラップが、どちらも前記第１のカップに取り付けられる第１の端部と第２の端部とを含み、前記第２の上部ストラップが、どちらも前記第２のカップに取り付けられる第１の端部と第２の端部とを含む、請求項１に記載の背中開きサポートブラジャー。
【請求項８】
前記第１の上部ストラップおよび前記第２の上部ストラップのそれぞれが、前記背中開きサポートブラジャーの前記着用者の各肩の周りに着用されるように構成される、請求項７に記載の背中開きサポートブラジャー。
【請求項９】
前記少なくとも１つの上部ストラップが、前記第１のカップに取り付けられる第１の端部と前記第２のカップに取り付けられる第２の端部とを含むただ１つの上部ストラップからなる、請求項１に記載の背中開きサポートブラジャー。
【請求項１０】
前記１つの上部ストラップが、前記背中開きサポートブラジャーの前記着用者の首の周りに着用されるように構成される、請求項９に記載の背中開きサポートブラジャー。
【請求項１１】
前記着用者の前面骨盤領域の付近で前記第１の下部ストラップの第１の部分と前記第２の下部ストラップの第１の部分との間に固定され、それらの間に延在する、前面パンティパネルと、
前記着用者の臀部領域の付近で前記第１の下部ストラップの第２の部分と前記第２の下部ストラップの第２の部分との間に固定され、それらの間に延在する、後面パンティパネルと、
をさらに備え、
前記前面パンティパネルが、着用されたとき、前記着用者の前記前面骨盤領域の少なくとも一部を覆うように構成され、前記後面パンティパネルが、着用されたとき、前記着用者の前記臀部領域の少なくとも一部を覆うように構成される、請求項１に記載の背中開きサポートブラジャー。
【請求項１２】
前記前面パンティパネルおよび前記後面パンティパネルが、ソングタイプのパンティとして構成される、請求項１１に記載の背中開きサポートブラジャー。
【請求項１３】
前記前面パンティパネルおよび前記後面パンティパネルが、フルカバータイプのパンティとして構成され、着用されたとき、少なくとも前記着用者の臀部のかなりの部分が覆われる、請求項１１に記載の背中開きサポートブラジャー。
【請求項１４】
前記前面パンティパネルおよび前記後面パンティパネルが、前記第１の下部ストラップおよび前記第２の下部ストラップに永続的に固定される、請求項１１に記載の背中開きサポートブラジャー。
【請求項１５】
前記前面パンティパネルおよび前記後面パンティパネルが、前記第１の下部ストラップおよび前記第２の下部ストラップに取外し可能に取り付けられる単一の構成要素として構成される、請求項１１に記載の背中開きサポートブラジャー。
【請求項１６】
前記第１の下部ストラップの前記第１の端部が、前記第１のカップに取り付けられ、前記第１の下部ストラップの前記第２の端部が、前記第１の下部ストラップの中間部に取り付けられ、前記第２の下部ストラップの前記第１の端部が、前記第２のカップに取り付けられ、前記第２の下部ストラップの前記第２の端部が、前記第２の下部ストラップの中間部に取り付けられる、請求項１に記載の背中開きサポートブラジャー。
【請求項１７】
第１のカップおよび第２のカップであって、前記第１のカップと前記第２のカップとが、互いに直接取り付けられておらず、前記背中開きサポートブラジャーが着用者によって着用されたとき、前記第１のカップおよび前記第２のカップのそれぞれが、前記着用者の各胸を支持するように構成される、第１のカップおよび第２のカップと、
着用されたとき、前記第１のカップおよび前記第２のカップを上方へ支持するように構成される第１の端部および第２の端部を有する、少なくとも１つの上部ストラップと、
着用されたとき、前記第１のカップおよび前記第２のカップを下方へ支持するように構成される第１の下部ストラップおよび第２の下部ストラップであって、前記第１の下部ストラップおよび前記第２の下部ストラップが、前記第１のカップおよび前記第２のカップのそれぞれから前記着用者の骨盤領域へと下方へ延在し、前記着用者の臀部を通って延在し、前記着用者の各脚の周りに延在するように構成される、第１の下部ストラップおよび第２の下部ストラップと、
を備える背中開きサポートブラジャー。
【請求項１８】
前記第１の下部ストラップの第１の端部が、前記第１のカップに取り付けられ、前記第１の下部ストラップの第２の端部が、前記第２のカップに取り付けられ、前記第２の下部ストラップの第１の端部が、前記第２のカップに取り付けられ、前記第２の下部ストラップの第２の端部が、前記第１のカップに取り付けられる、請求項１７に記載の背中開きサポートブラジャー。
【請求項１９】
前記少なくとも１つの上部ストラップが、第１の上部ストラップと第２の上部ストラップとからなり、前記第１の上部ストラップが、どちらも前記第１のカップに取り付けられる第１の端部と第２の端部とを含み、前記着用者の第１の肩の周りに着用されるように構成され、前記第２の上部ストラップが、どちらも前記第２のカップに取り付けられる第１の端部と第２の端部とを含み、前記着用者の第２の肩の周りに着用されるように構成される、請求項１７に記載の背中開きサポートブラジャー。
【請求項２０】
前記少なくとも１つの上部ストラップが、前記第１のカップに取り付けられる第１の端部と前記第２のカップに取り付けられる第２の端部とを備えるネックホルターであり、前記ネックホルターが、前記着用者の首の周りに着用されるように構成される、請求項１７に記載の背中開きサポートブラジャー。
【発明の詳細な説明】
【技術分野】
【０００１】
優先権出願の参照
本出願は、２０１６年８月８日出願の米国仮特許出願第６２／３７２，２８２号の優先権を主張する。
【０００２】
本発明は、一般に下着に関し、より詳細には、バストの支持、および着用者の背中の遮るものがない見た目を提供するブラジャーに関する。
【背景技術】
【０００３】
図３６に示すような従来の女性の下着、すなわちブラジャーは、一般に、２つのカップを備える前面メイン部と、着用者の胸郭を囲む、前面部から延在するウイングと、２つのウイングを連結するフックアイ留め具と、２つの肩ストラップと、を有する。従来のブラジャーは、Ｔシャツ、ブラウス、セーターなどの日常着の下で普段使用するのには実用的である。しかし、これらの従来のブラジャーは、すべての目的には適していない。たとえば、従来のブラジャーは、フォーマルガウンなどの背中開きの衣服と共に着用するのには適していない。
【０００４】
多くの女性の間で人気がありまた人気であり続けている流行のデザインまたはファッショナブルなデザインの１つに、カットが深い服、または背中の開いた服などの、女性の背中を露出する衣服類がある。たとえば、背中のカットが深い、または背中開きのイブニングガウン、プロムドレス、カクテルドレスなどは、多くの男性および女性にエレガントであると考えられている。カットの深い装い、および背中開きの装いは、背中開きホルタートップなどの他のタイプの服にも広がってきており、これはいくつかの流行のファッションアイテムの１つであると考えられている。
【０００５】
ベーシックなブラジャーのデザインが発展してきている方向の１つは、図３７に示すように、肩ストラップの必要性をなくすことである。したがって、着用者の胸の全支持は、カップのデザインとバックストラップの両方によって実現されなければならない。このタイプのブラジャーは、一般にストラップレスブラジャーと呼ばれており、着用者の肩を露出する服と共に着用することができる。しかし、カットの深い服または背中開きの服と共に着用した場合、ストラップレスブラジャーのバックストラップは、依然として露出する。
【０００６】
別の解決策は、米国特許第６，３９７，３９１号に開示されるようなストラップレスで背中開きのブラジャーである。背中開きの衣服の下から露出するブラジャーのウイングは存在しない。しかし、この構成では胸への支持はほとんど与えられず、その結果、望ましくない見た目になる。実際、着用者の腕または首でストラップが下がった場合、ブラジャーカップの底部が着用者の胴体からずれる場合があり、その結果、胸の付け根がカップの下からはみ出すことすらある。
【０００７】
現在利用可能であるのは、接着剤の付いたシリコーンカップ、側部に沿ったボーンおよびプランジングバックを有するストラップレスビスチェブラジャーを含めた、種々の他の理想的でない解決策である。接着性のオプション部を備えるシリコーンカップにより、任意のタイプの背中開き衣服を着用することが可能になる。しかし、これらのカップは、接着剤または接着性ウイングによってのみ支持されており、胸がより大きい着用者に十分な支持またはリフトを提供しない。接着剤の強度は、時が経つにつれて、また着用者が汗をかいているときには特に低下するので、糊などの接着剤を用いて保持されるシリコーンカップは、一般に質が悪いと考えられている。さらに、人の皮膚に付着する服および他の製品は、それらの取外しが痛みを伴う、着用者の皮膚にかぶれを生じさせる、またはその両方であるので、一般に所望されない。したがって、着用者の皮膚に付着する、下着を含めた衣服に伴うこれらの問題により、着用者の身体の体形または着用者のカップサイズとは関係なく、一般に購入または使用されないということがある。
【０００８】
図３８に示すようなプランジングバックを有するビスチェブラジャーは、多くの着用者が余分な皮膚および脂肪を抱えている区域である背中の区域において、望ましくない、また見た目の悪い膨張効果をしばしば生じさせる。これらのビスチェブラジャーはストラップレスであるので、それらは、支持を与え、しっかりと定位置にとどまるために、胴体の周りに非常にきつく留められる必要がある。しかし、それらがきつく留められなければならないために、膨張効果はひどくなる。
【０００９】
したがって、カットの深い、または背中開きの衣服類と共に適切に着用することができ、従来のブラジャーまたはベーシックなブラジャーと同じかまたは同様のやり方で着用者の胸に支持を与えるブラジャーが望まれ、また長い間切実に求められている。本発明は、こうしたブラジャーを対象とする。
【発明の概要】
【発明が解決しようとする課題】
【００１０】
上記に鑑み、本発明の一目的は、上に簡単に述べたような従来技術に関連付けられるある課題、いくつかの課題、またはすべての課題を克服する背中開きサポートブラジャーを提供することである。
【００１１】
本発明の別の目的は、着用者の胸を十分に支持しながら、着用者の背中の遮るものがない見た目を実現する、背中開きサポートブラジャーを提供することである。本発明の別の目的は、着用者の、ブラジャーのストラップおよび他の構成要素によって遮られていない背中が見えることが望ましい、オープンバックドレスまたは背中開きドレス、および他のタイプの衣服で適切に機能し得る、背中開きサポートブラジャーを提供することである。
【００１２】
本発明のさらに別の目的は、着用しやすく、調節しやすく、また着用者に適当に位置決めされるように設計された、背中開きサポートブラジャーを提供することである。
【００１３】
本発明のさらに別の目的は、着用者が深いネックライン、または非常に深いネックライン／プランジングネックラインを有する衣服を着用することを可能にする、背中開きサポートブラジャーのバージョンを提供することである。
【００１４】
本発明のさらなる追加的な目的は、着脱しやすく、本明細書に述べる利益のうちの１つまたは複数を着用者にもたらす下着を提供することである。
【課題を解決するための手段】
【００１５】
上記およびその他の目的のうちの１つまたは複数を達成するために、本発明のいくつかの実施形態によれば、本発明は、背中開きサポートブラジャーであって、背中開きサポートブラジャーが着用されたとき、カップのそれぞれが、着用者の各胸を支持するように構成される、第１のカップおよび第２のカップと、第１のカップおよび第２のカップを上方へ支持するための第１の端部および第２の端部を有する少なくとも１つの上部ストラップと、第１の下部ストラップおよび第２の下部ストラップであって、第１の下部ストラップおよび第２の下部ストラップのそれぞれが、第１のカップおよび第２のカップを下方へ支持するための第１の端部および第２の端部を有し、第１の下部ストラップが、着用者の骨盤領域を通って延在し、着用者の一方の脚の周りに延在するように構成され、第２の下部ストラップが、着用者の骨盤領域を通って延在し、着用者の他方の脚の周りに延在するように構成される、第１の下部ストラップおよび第２の下部ストラップと、を備える。
【００１６】
本発明の一態様として、第１のカップと第２のカップとは、互いに直接取り付けられていない。
【００１７】
特定の一態様として、第１の下部ストラップの第１の端部は、第１のカップに取り付けられ、第１の下部ストラップの第２の端部は、第２のカップに取り付けられ、第２の下部ストラップの第１の端部は、第２のカップに取り付けられ、第２の下部ストラップの第２の端部は、第１のカップに取り付けられる。
【００１８】
別の一態様として、第１の下部ストラップおよび第２の下部ストラップの概ね全体は、着用されたとき、着用者の前面部に沿って配置され、その結果、着用者の背中の概ね全体が、第１の下部ストラップおよび第２の下部ストラップ、ならびに少なくとも１つの上部ストラップによって遮られない。
【００１９】
さらに別の態様として、ストラップは、カップに永続的に固定される。
【００２０】
さらに別の態様として、ストラップのうちの少なくとも１つは、カップの一方に取外し可能に連結される。
【００２１】
さらなる追加的な態様として、前記少なくとも１つの上部ストラップは、第１の上部ストラップと第２の上部ストラップとからなり、第１の上部ストラップは、どちらも第１のカップに取り付けられる第１の端部と第２の端部とを含み、第２の上部ストラップは、どちらも第２のカップに取り付けられる第１の端部と第２の端部とを含む。
【００２２】
この態様の一特徴として、第１の上部ストラップおよび第２の上部ストラップのそれぞれは、背中開きサポートブラジャーの着用者の各肩の周りに着用されるように構成される。
【００２３】
別の態様として、前記少なくとも１つの上部ストラップは、第１のカップに取り付けられる第１の端部と第２のカップに取り付けられる第２の端部とを含むただ１つの上部ストラップからなる。
【００２４】
この態様の一特徴として、上部ストラップは、背中開きサポートブラジャーの着用者の首の周りに着用されるように構成される。
【００２５】
本発明の他の態様として、背中開きサポートブラジャーは、着用者の前面骨盤領域の付近で第１の下部ストラップの第１の部分および第２の下部ストラップの第１の部分に固定され、それらの間に延在する、前面パンティパネルと、着用者の臀部領域の付近で第１の下部ストラップの第２の部分および第２の下部ストラップの第２の部分に固定され、それらの間に延在する、後面パンティパネルとをさらに備え、前面パンティパネルは、着用されたとき、着用者の前面骨盤領域の少なくとも一部を覆うように構成され、後面パンティパネルは、着用されたとき、着用者の臀部領域の少なくとも一部を覆うように構成される。
【００２６】
この態様の一特徴として、前面パンティパネルおよび後面パンティパネルは、ソングタイプのパンティとして構成される。
【００２７】
別の特徴として、前面パンティパネルおよび後面パンティパネルは、フルカバータイプのパンティとして構成され、着用されたとき、少なくとも着用者の臀部のかなりの部分が覆われる。
【００２８】
さらに別の特徴として、前面パンティパネルおよび後面パンティパネルは、第１の下部ストラップおよび第２の下部ストラップに永続的に固定される。
【００２９】
さらに別の特徴として、前面パンティパネルおよび後面パンティパネルは、第１の下部ストラップおよび第２の下部ストラップに取外し可能に取り付けられる単一の構成要素として構成される。
【００３０】
本発明のさらに別の態様として、第１の下部ストラップの第１の端部は、第１のカップに取り付けられ、第１の下部ストラップの第２の端部は、第１の下部ストラップの中間部に取り付けられ、第２の下部ストラップの第１の端部は、第２のカップに取り付けられ、第２の下部ストラップの第２の端部は、第２の下部ストラップの中間部に取り付けられる。
【００３１】
本発明の特定の一実施形態によれば、背中開きサポートブラジャーは、互いに直接取り付けられていない第１のカップおよび第２のカップであって、第１のカップおよび第２のカップのそれぞれが、背中開きサポートブラジャーが着用されたとき、着用者の各胸を支持するように構成される、第１のカップおよび第２のカップと、着用されたとき、第１のカップおよび第２のカップを上方へ支持するように構成される第１の端部および第２の端部を有する、少なくとも１つの上部ストラップと、着用されたとき、第１のカップおよび第２のカップを下方へ支持するように構成される第１の下部ストラップおよび第２の下部ストラップであって、第１の下部ストラップおよび第２の下部ストラップが、第１のカップおよび第２のカップのそれぞれから着用者の骨盤領域へと下方へ延在し、着用者の臀部を通って延在し、着用者の各脚の周りに延在するように構成される、第１の下部ストラップおよび第２の下部ストラップとを備える。
【００３２】
この特定の実施形態の一態様によれば、第１の下部ストラップの第１の端部は、第１のカップに取り付けられ、第１の下部ストラップの第２の端部は、第２のカップに取り付けられ、第２の下部ストラップの第１の端部は、第２のカップに取り付けられ、第２の下部ストラップの第２の端部は、第１のカップに取り付けられる。
【００３３】
この特定の実施形態の別の態様によれば、前記少なくとも１つの上部ストラップは、第１の上部ストラップと第２の上部ストラップとからなり、第１の上部ストラップは、どちらも第１のカップに取り付けられる第１の端部と第２の端部とを含み、着用者の第１の肩の周りに着用されるように構成され、第２の上部ストラップは、どちらも第２のカップに取り付けられる第１の端部と第２の端部とを含み、着用者の第２の肩の周りに着用されるように構成される。
【００３４】
この特定の実施形態の別の態様によれば、前記少なくとも１つの上部ストラップは、第１のカップに取り付けられる第１の端部と第２のカップに取り付けられる第２の端部とを備えるネックホルターであり、ネックホルターは、着用者の首の周りに着用されるように構成される。
【００３５】
本発明のさらに他の実施形態によれば、背中開きサポートブラジャーの着用者に、本明細書に述べる特徴を有する背中開きサポートブラジャーを留める方法が含まれる。
【００３６】
本発明の上記その他の実施形態、態様、および特徴は、以下の詳細な説明において説明される。本発明の追加的な目的、利点、および特徴は、当業者には、本発明の以下の詳細な説明から容易に明らかになろう。
【００３７】
以下の詳細な説明は、一例として与えられるものであり、本発明をそれだけに限定することは意図しておらず、また添付図面と併せると最もよく理解されよう。同様の参照符号は、同様の要素および部分を示す。
【図面の簡単な説明】
【００３８】
【図１】図１〜図７は、着用者に着用された状態で示される、本発明の第１の実施形態による背中開きサポートブラジャーの概略図であり、図１は正面斜視図である。
【図２】図２は、正面図である。
【図３】図３は、背面図である。
【図４】図４は、左側面図である。
【図５】図５は、右側面図である。
【図６】図６は、上面図である。
【図７】図７は、下面図である。
【図８】図８は、本発明の第２の実施形態による背中開きサポートブラジャーの正面図の概略図である。
【図９】図９は、本発明の第２の実施形態による背中開きサポートブラジャーの背面図の概略図である。
【図１０】図１０〜図１４は、本発明の第３の実施形態による、ソングパンティを備える背中開きサポートブラジャーの概略図であり、図１０は正面斜視図である。
【図１１】図１１は、正面図である。
【図１２】図１２は、背面図である。
【図１３】図１３は、左側面図である。
【図１４】図１４は、右側面図である。
【図１５】図１５〜図２１は、本発明の第４の実施形態による、フルカバーパンティを備える背中開きサポートブラジャーの概略図であり、図１５は正面斜視図である。
【図１６】図１６は、正面図である。
【図１７】図１７は、背面図である。
【図１８】図１８は、左側面図である。
【図１９】図１９は、右側面図である。
【図２０】図２０は、着用者の上面からの図である。
【図２１】図２１は、着用者の下面からの図である。
【図２２】図２２〜図２８は、本発明の第５の実施形態による、分かれたカップを備える背中開きサポートブラジャーの概略図であり、図２２は正面斜視図である。
【図２３】図２３は、正面図である。
【図２４】図２４は、背面図である。
【図２５】図２５は、左側面図である。
【図２６】図２６は、右側面図である。
【図２７】図２７は、上面図である。
【図２８】図２８は、下面図である。
【図２９】図２９〜図３５は、本発明の第６の実施形態による、分かれたカップおよびネックホルターを備える背中開きサポートブラジャーの概略図であり、図２９は正面斜視図である。
【図３０】図３０は、正面図である。
【図３１】図３１は、背面図である。
【図３２】図３２は、左側面図である、
【図３３】図３３は、右側面図である。
【図３４】図３４は、上面図である。
【図３５】図３５は、下面図である。
【図３６】図３６は、これまでの、従来技術のブラジャーの概略図である。
【図３７】図３７は、別の従来技術のブラジャーの概略図である。
【図３８】図３８は、別の従来技術の背中開きブラジャーの概略図である。
【発明を実施するための形態】
【００３９】
本発明の種々の実施形態の以下の詳細な説明は、添付図面を参照してなされる。この詳細な説明では、本発明の概念の理解を明瞭にするため、また不必要な詳細で本発明を曖昧にするのを避けるために、当技術分野において知られている関連する機能または構造についての説明は割愛される。さらに、当業者には明らかであり、本明細書に開示する発明概念の範囲に含まれることを意図されている、多くの変形形態および修正形態が存在することは、本明細書での説明から容易に明らかになるはずである。
【００４０】
加えて、「カップ」、「ストラップ」、「パネル」などのいくつかの用語が説明の全体を通して使用されており、これらの各用語は、本明細書の発明概念に関して、基準となる適切な枠組みを提供するため、また読者が本発明を理解するのを助けるために提供されている。しかし、これらの用語は、具体的にそう示してある場合を除き、過剰に限定的であることを意図するものではない。
【００４１】
本明細書の記述において説明されるかまたはそこから理解されるように、その種々の形態における本発明は、着用者の背中の遮るものがない見た目、および本明細書に述べる他の利益を着用者に提供する、背中開きサポートブラジャーを対象とする。いくつかの実施形態では、ブラジャーは、さらに、着用者の胸部中央区域の遮るものがない見た目を着用者に提供する。本発明のこれらの実施形態では、（その種々の形態における）本発明のブラジャーの着用者は、ブラジャーのいかなる部分も背面から見せることなく、背中開きの衣服を着用することができる。したがって、本発明のブラジャーを着用している間、ブラジャーは、着用者の胸に十分な以上の支持を与え、同時に、いわゆる「背中開き」ドレス、および他の背中開きタイプの衣服を着用することを可能にする。さらに、本明細書に述べるいくつかの実施形態では、ブラジャーの着用者は、ブラジャーのいかなる部分も前面から見せることなく、深い（または非常に深い／プランジング）ネックラインをもつ衣服も着用することができる。
【００４２】
第１の実施形態；背中開きサポートブラジャー
ここで各図面、特にその図１〜図７を参照すると、本発明の第１の実施形態による背中開きサポートブラジャー１００が開示されている。これらの図に示すように、背中開きサポートブラジャー１００（本明細書では便宜的にブラジャー１００と称されることがある）は、身体１０と、左腕１２ａおよび右腕１２ｂと、左脚１４ａおよび右脚１４ｂと、背中１６（背中１６は図３の背面図に最もよく示されている）と、をもつ着用者（すなわち人）によって着用された状態で示されている。
【００４３】
図１（またこの実施形態の他の種々の図２〜図７のうちの１つまたは複数にも示されている）を参照すると、背中開きサポートブラジャー１００は、前面メインパネル１１０と、一組のストラップとを含む。前面メインパネル１１０は、左カップ１１２ａと右カップ１１２ｂとを含む。着用されたとき、左カップ１１２ａは着用者の左胸を支持し、右カップ１１２ｂは着用者の右胸を支持する。左カップ１１２ａは、上縁部１１４ａと下縁部１１６ａとを有する。同様に、右カップ１１２ｂは、上縁部１１４ｂと下縁部１１６ｂとを有する。
【００４４】
図２（またこの実施形態の他の図にも示されている）を参照すると、背中開きサポートブラジャー１００は、一対の上部肩ストラップと、一対の下部ストラップとを含む。具体的には、ブラジャー１００は、（「上部ストラップ」とも称される）左上部肩ストラップ１２０ａと右上部肩ストラップ１２０ｂとを含む。下部ストラップは、以下でより詳細に説明される。各上部肩ストラップは各カップに取り付けられ、各ストラップは、着用されたとき、着用者の肩にかかるように構成される。具体的には、左カップ１１２ａは左上部肩ストラップ１２０ａによって着用者の身体の上に支持され、右カップ１１２ｂは右上部肩ストラップ１２０ｂによって同じように着用者の身体の上に支持される。
【００４５】
左上部肩ストラップ１２０ａは、第１の端部１２２ａと第２の端部１２４ａとを有し、両方の端部は、前面メインパネル１１０の左カップ１１２ａに直接連結される。これは図１に最もよく示されているが、図２にも見て取ることができる。同様に、図２に最もよく示されているように（端部１２４は図１では隠れている）、右上部肩ストラップ１２０ｂは、第１の端部１２２ｂと第２の端部１２４ｂとを有し、両方の端部は、前面メインパネル１１０の右カップ１１２ｂに直接連結される。
【００４６】
図４の側面図に示すように、左上部肩ストラップ１２０ａは第１の肩ループを形成する。同様に、図５のもう一方の側面図に示すように、右上部肩ストラップ１２０ｂは第２の肩ループを形成する。
【００４７】
再び図１を参照すると、左上部肩ストラップ１２０ａは、左カップ１１２ａの上縁部１１４ａにおいて（端部１２２ａで）左カップ１１２ａに取り付けられ、若干下方の箇所においても（端部１２４ａで）左カップ１１２ａに取り付けられる。これは図２にも示されている。同様に、図２に示すように、右上部肩ストラップ１２０ｂは、（端部１２２ｂにおいて）右カップ１１２ｂの上縁部１１４ｂに取り付けられ、（端部１２４ｂにおいても）右カップ１１２ｂに取り付けられる。本明細書に述べる一変形形態では、左カップへの左上部ストラップの連結および右カップへの右上部ストラップの連結は、それぞれ図に示すものとは異なる場所でなされてもよい。あるバージョンでは、各上部ストラップの各端部は、各カップの同じ場所で連結される。別のバージョンでは、各上部ストラップの各端部は、各図に示すよりも互いから離れて各カップに連結される。
【００４８】
前述のように、本発明のこの第１の実施形態のブラジャーは、一対の下部ストラップも含む。本明細書でさらに詳細に説明されるように、各下部ストラップは、２つの端部（すなわち第１の端部および第２の端部）を含み、各下部ストラップの各端部は、ブラジャーの前面メインパネルの各カップの下縁部に連結される。
【００４９】
各下部ストラップは「脚部ループ」を形成し、（使用者によって着用されたとき）各ストラップは、（着用者の胴体区域において）着用者の身体の前面を下方に延在し、着用者の骨盤区域を通り、次いで着用者の臀部区域を上方に延在し、最後にブラジャーの前面メインパネルに連結する。各図を参照すると、図２に示すように着用者の胴体の前面を横切って延在し、特に図７の下面図に示すように骨盤区域を通り、図３に示すように着用者の臀部区域の周りで上方に返り、次いで図４および図５ならびに図１に示すようにブラジャーのメインパネルへと戻る、各下部ストラップが示されている。こうした位置は他の図にも示されている場合があることに留意されたい。
【００５０】
図２に示すように、左下部ストラップ１４０ａは、第１の端部１４２ａと第２の端部１４４ａとを有する。これらの端部は、ブラジャーの左カップ１１２ａの下縁部１１６ａに（またはその近くに）直接連結される。同様に、右下部ストラップ１４０ｂは、第１の端部１４２ｂと第２の端部１４４ｂとを有し、これらの端部は、ブラジャーの右カップ１１２ｂの下縁部１１６ｂに（またはその近くに）直接連結される。
【００５１】
本発明のこの第１の実施形態のあるバージョンでは、上部肩ストラップ１２０ａ、１２０ｂおよび下部ストラップ１４０ａ、１４０ｂは、ブラジャー１００の前面メインパネル１１０に永続的に固定される。別のバージョンでは、すべてのストラップはブラジャーの前面メインパネルから取外し可能である。肩ストラップおよび下部ストラップの各端部から前面メインパネルへの連結タイプは、ブラジャーに使用するのに適した任意のタイプの連結技法でよい。
【００５２】
ストラップがメインパネルに永続的に固定されるバージョンでは、こうした永続的固定は、前面メインパネル１１０にストラップの端部を縫い付けるかまたはステッチングすることによるものであってもよい。他の方式の永続的固定も利用され得る。このようなバージョンでは、本発明のブラジャーを着けるために、着用者は、下部ストラップ１４０ａ、１４０ｂによって形成される脚部ループの中へと「踏み込み」、次いで上部肩ストラップ１２０ａ、１２０ｂが着用者の肩の上に配置されるまでそれらを引き上げる。
【００５３】
ストラップがメインパネルに永続的に固定されていない本発明のバージョンに関して、例示的なバージョンの１つは、各ストラップが従来の面ファスナ連結具によってブラジャーのメインパネルに連結可能になっているものである。このようなバージョンでは、上部肩ストラップ１２０ａ、１２０ｂおよび下部ストラップ１４０ａ、１４０ｂは、前面メインパネル１１０の内側に設けられるループ部において、取外し可能に前面メインパネル１１０に取り付けられる。ループ部は、前面メインパネル１１０の縁部の内側に、縁部に沿って提供されて、上部ストラップおよび下部ストラップの第１の端部および第２の端部に設けられるフックが、２つのカップの上縁部および下縁部に沿った種々の場所に付くことを可能にする。
【００５４】
さらに他のバージョンでは、ストラップのうちの１つまたはいくつかは、ブラジャーのメインパネルに永続的に固定され、その他のストラップのうちの１つまたは複数は、ブラジャーのメインパネルに取付け可能かつブラジャーのメインパネルから取外し可能である（すなわち取外し可能に固定可能かまたは取外し可能に固定される）ように構成される。このようなバージョンの１つでは、本発明のブラジャーは、ブラジャーのメインパネルに永続的に固定される（本明細書に述べる）一対の上部肩ストラップを含み、ブラジャーのメインパネルに取外し可能に固定される（本明細書に述べる）一対の下部ストラップを含む。さらに別のバージョンでは、本発明のブラジャーは、ブラジャーのメインパネルに取外し可能に固定される（本明細書に述べる）一対の上部肩ストラップを含み、ブラジャーのメインパネルに永続的に固定される（本明細書に述べる）一対の下部ストラップを含む。
【００５５】
本明細書に説明および例示されるように、本発明のブラジャー１００が着用者によって着用されるとき、左下部ストラップ１４０ａは、左カップ１１２ａの下縁部１１６ａから延在し、着用者の骨盤区域を通過して着用者の臀部の間へと至り、次いで左カップ１１２ａの下縁部１１６ａに再び付くように構成される。同様に、右下部ストラップ１４０ｂは、右カップ１１２ｂの下縁部１１６ｂから延在し、着用者の骨盤区域を通過して着用者の臀部の間へと至り、次いで右カップ１１２ｂの下縁部１１６ｂに再び付くように構成される。
【００５６】
本発明は、図に具体的に示されている構成以外の構成を含む。たとえば、各上部肩ストラップの第１の端部および第２の端部は、各カップの同じ位置に固定されてもよく、異なる位置に固定されてもよい。たとえば、各上部肩ストラップの第１の端部は各カップの上縁部に固定され、各上部肩ストラップの第２の端部は、各カップの実質的な下縁部または鉛直縁部に固定される。
【００５７】
カップに固定される第１の端部および第２の端部の位置の変形形態では、カップの形状も考慮に入れられてもよい。したがって、こうしたバージョンでは、各上部肩ストラップは、各上部肩ストラップがメイン前面パネル１１０を着用者の上に適当に位置決めするように、各カップに連結するように構成される。
【００５８】
各図では、本発明のブラジャーの各ストラップの特定のサイズおよび形状が示される。しかし、各ストラップのサイズおよび／または形状は、示されているものとは異なっていてもよい。一変形形態では、上部肩ストラップおよび下部ストラップは、各図に示されるものよりも幅が広くてもよく、幅が狭くてもよい。さらに、ストラップは、湾曲した形状、波の形状、または他の適した形状など、異なる形状を有してもよい。また、当業者なら理解するように、ストラップは、種々の材料および種々の色で作られてもよい。ストラップは、必要に応じて半透明でもよく、透明でもよい。
【００５９】
本明細書に述べる本発明のブラジャーの種々のバージョンでは、ストラップのいずれも、弾性であり得、かつ／または適した長さ調節機構によって長さの調節が可能であり得る。たとえば、図２および図３は、着用者がストラップの長さを適当に調節することを可能にするスライダ１４６を示す。このようなスライダは当技術分野ではよく知られており、したがってそれらの構造および使用方法の説明は、本明細書では割愛される。他の適した長さ調節機構が利用されてもよい。さらに、ブラジャー１００は、ブラジャーの各ストラップに、より多いかまたは（ゼロを含めて）より少ない長さ調節機構を含んでもよい。
【００６０】
追加的な支持および／または機能強化を実現するために、ブラジャー１００の左カップ１１２ａおよび右カップ１１２ｂはライニングされてもよく、パッドが付けられてもよく、その他の方法で機能強化されてもよい。当業者なら理解するように、前面メインパネル１１０のカップ１１２ａ、１１２ｂによって作り出されるネックラインは、種々の形状でもよい。カップのサイズは、たとえばＡ〜Ｎでもよく、標準的であれ非標準的であれ他のサイズでもよい。
【００６１】
第１の実施形態（および選択された他の実施形態）のブラジャーは、シームレス成形ブラジャーにおいて見られるような、一体の一部材構造の左カップおよび右カップを含む。しかし、変形形態では、ブラジャーは、互いに接合される別々のカップを含んでもよい。カップを接合する技法には、たとえばステッチング、またはその各端部が各カップに縫い付けられるかまたは各カップと一体になっていることが含まれる。別の例として、クラスプまたは他の適した連結具が含められ、カップを取付けおよび取外しするために使用される。第１の実施形態（および選択された他の実施形態）の図に示すカップは一体になっており、したがって永続的に互いに固定されている。しかし、他の変形形態では、カップは互いに連結可能かつ互いから取外し可能である。さらに他の変形形態では、本明細書に述べる第５の実施形態および第６の実施形態（すなわち図２２〜図３５を参照して説明される２つの実施形態）の場合のように、カップは互いに連結可能でなく、こうした非連結状態で着用されるように設計される。
【００６２】
本明細書に述べる第１の実施形態のネックラインは、カーブを付けられている、または成形されているように示されているが、ブラジャー１００の前面メインパネル１１０およびカップ１１２ａ、１１２ｂは、以下のスタイル、すなわちプランジ、フルカップ、デミカップ、プッシュアップ、バルコネットおよびシェルフ、ならびに当技術分野で知られている他のスタイルのうちのいずれかを提供するように修正されてもよい。当技術分野では理解されるように、カップは種々の材料から作られてもよく、様々なサイズおよび色を有してもよい。
【００６３】
様々な変形形態において、前面メインパネル１１０は、２つのカップの下縁部１１６ａ、１１６ｂに収められて着用者の胸をさらに支持および持ち上げる構造的支持ワイヤ（一般に「アンダーワイヤ」と呼ばれる）を有するチャネルを含んでもよい。具体的には、各ブラジャーカップは、（側部を含めて）カップの底部の周りに延在するアンダーワイヤを有してもよい。通常、アンダーワイヤブラジャーでは普通であるように、アンダーワイヤは、カップの中に設けられるか、またはカップの内表面に縫い付けられるパッド材料もしくはクッション材料に包まれる。どちらの場合でも、アンダーワイヤ自体は隠され、少なくともいくらかはパッドを付けられて、そうでなければアンダーワイヤによって着用者にもたらされる不快感を最小限にする。
【００６４】
本明細書に述べる変形形態のいずれにおけるブラジャー１００も、天然材料で作られても合成材料で作られてもよく、非限定的な例には、綿、革、サテン、絹、ナイロン、スパンデックス、ポリエステルおよび他の知られている材料、ならびにこれらの任意の組合せが含まれる。
【００６５】
ブラジャーが着用者の皮膚にとどまることを可能にするのを助けるため、ずれを最小限にするため、かつ／または他の所望の目的のために、シリコーンインサートまたはシリコーンストリップが、（本明細書に述べる変形形態のうちのいずれかにおいて）左カップおよび右カップの内側に含められてもよい。
【００６６】
本発明の第１の実施形態による背中開きサポートブラジャーがその複数の変形形態と共に説明されてきたが、このブラジャーにより、着用者の背中の概ね遮るものがない見た目が実現されることが理解される。これにより、背中開きドレス、Ｖバックドレスもしくはピーカブーバックドレスまたは他の適当なドレス、および別のタイプの衣服類と共に本発明の背中開きサポートブラジャーを着用することが可能になり、図３の背面図に示されるように、本発明のブラジャーは、着用者の背中のいかなる部分に沿っても見えることがない。図３に示すように、ブラジャーの上部ストラップは、着用者の腕の上部のすぐ隣かつ着用者の肩の近くであるが、着用者の首からは比較的離れた位置に見えている。したがって、着用者の背中の上部全体は、この実施形態（および本明細書に述べる他のあらゆる実施形態）による本発明のブラジャーによって遮られない。やはり図３に示すように、下部ストラップは着用者の臀部の付近に配置され、したがって着用者の背中の下部全体も、本発明のブラジャーによって遮られることがない。
【００６７】
第２の実施形態；自らに再取付けされる下部ストラップを備える背中開きサポートブラジャー
図面の図８および図９には、本発明の第２の実施形態による背中開きサポートブラジャーが示されている。
【００６８】
この第２の実施形態による背中開きサポートブラジャー２００は、既に説明した第１の実施形態に存在し第１の実施形態に関連して説明されてきた構造および特徴を含む。本明細書では、第２の実施形態と第１の実施形態との間の類似点および相違点について説明する。第２の実施形態と第１の実施形態との間の著しい相違点は、第２の実施形態のブラジャー２００が、自らに再取付けされる一対の下部ストラップを含むことである。自らに再取付けされる下部ストラップについて以下に説明する。
【００６９】
本発明の第２の実施形態による背中開きサポートブラジャーの正面図である図８を参照すると、ブラジャー２００が、左カップ２１２ａおよび右カップ２１２ｂを含む前面メインパネル２１０、ならびに上部肩ストラップ２２０ａ、２２０ｂを含むことが示されている。ブラジャー２００のこれらの構成要素は、第１の実施形態のブラジャー１００の対応する構成要素と同じ構造および機能を有し、つまりブラジャー１００の左カップ１１２ａおよび右カップ１１２ｂを含む前面メインパネル１１０、ならびに上部肩ストラップ１２０ａ、１２０ｂと同じ構造および機能を有する。したがって、本発明の理解に必要である場合を除き、第２の実施形態のこれらの構成要素の説明は提供されない。図８は、左肩ストラップ２２０ａの第１の端部２２２ａおよび第２の端部２２４ａならびに右肩ストラップ２２０ｂの第１の端部２２２ｂおよび第２の端部２２４ｂ、左カップ２１２ａの上縁部２１４ａおよび右カップ２１２ｂの上縁部２１４ｂ、ならびに左カップ２１２ａの下縁部２１６ａおよび右カップ２１２ｂの下縁部２１６ｂを含めた、これらの構成要素の種々のラベリングを含む。本明細書の説明が与えられれば、これらの端部および縁部の機能は理解される。
【００７０】
第２の実施形態のブラジャー２００は、第１の実施形態のブラジャー１００の下部ストラップ１４０ａ、１４０ｂとは異なる一対の下部ストラップ２４０ａ、２４０ｂを含む。図８に示すように、ブラジャー２００の左下部ストラップ２４０ａおよび右下部ストラップ２４０ｂは十文字になったタイプの構成を有し、着用者によって着用されたとき、ストラップが着用者の腹部領域の中央かまたはその近くで互いに交差することが示されている。以下により詳細に説明されるように、左下部ストラップ２４０ａおよび右下部ストラップ２４０ｂのそれぞれは、前面メイン部２１０から下方へ、着用者の反対側の脚に向かって延在し、（各脚の上部領域の近くで、腰において）着用者の脚の周りに延在し、着用者の臀部の下方部の周りに延在し（図９の背面図を参照）、着用者の骨盤領域を通って延在し（図９を参照）（着用者の背面から着用者の前面へと骨盤領域を通って延在する）、次いで、図８に示すように、（前面において）着用者の脚上部に沿って上方へ延在し、同じ下部ストラップの中間部に取り付けられる。本明細書における骨盤領域とは、腹と腿との間の、人の身体の胴体部の下方部である（胴体部の骨盤領域とも呼ばれることがある）。図８および図９に示すように、左下部ストラップ２４０ａと右下部ストラップ２４０ｂとは、互いに連結しない、または付かない。
【００７１】
次に、ブラジャー２００の左下部ストラップ２４０ａおよび右下部ストラップ２４０ｂのより詳細な説明を示す。下部ストラップ２４０ａ、２４０ｂに関連した「左」および「右」という用語は便宜的に提供されているものであり、左下部ストラップ２４０ａは着用者の左脚の周りを通るように構成され、右下部ストラップ２４０ｂは着用者の右脚の周りを通るように構成されていることに留意されたい。しかし、下部ストラップは着用者の腹部区域の周りで十文字を描くので、左下部ストラップ２４０ａは右カップ２１２ｂに取り付けられ、右下部ストラップ２４０ｂは左カップ２１２ａに取り付けられる。
【００７２】
左下部ストラップ２４０ａは、カップの下縁部２１６ｂで右カップ２１２ｂに連結される第１の端部２４２ａを含む。左下部ストラップ２４０ａは、反対側の脚に向かって下方へ延在する。つまり、左下部ストラップ２４０ａは、着用されたとき着用者の右胸を支持する右カップ２１２ｂから着用者の左脚に向かって延在する。したがって、着用されたとき、左下部ストラップは着用者の腹部領域を横切って延在する。図８に示すように、左下部ストラップ２４０ａは、着用者の左脚の上部へと延在し、次いでその脚の外側部分の周りを着用者の背面領域に向かって延在する。図９に示すように、左下部ストラップ２４０ａは、左脚の後ろの周りを着用者の骨盤領域に向かって延在し、次いで骨盤領域を通って延在し、それによって着用者の前面へと戻る。図８に戻ると、左下部ストラップが骨盤領域から終端部２４４ａまで延在し続けるのが示されている。図８に示すように、左下部ストラップの端部２４４ａは、左下部ストラップの中間部に付く。
【００７３】
本明細書において、左下部ストラップの端部２４４ａは、ストラップの第２の端部とも呼ばれる。左下部ストラップの第２の端部２４４ａは、図８に示す場所でそれが左下部ストラップの一部に取り付けられるのを可能にするアタッチメント機構を含む。アタッチメント機構は、フックでもよく、他の適当な装置でもよい。したがって、適切に着用されたとき、左下部ストラップは右カップ２１２ｂから腹部の周りへと下方へ延在し、次いで着用者の左脚を囲む。脚を囲むことは、本明細書では脚部ループと称されることがある。
【００７４】
右下部ストラップ２４０ｂは、左下部ストラップ２４０ａと同じ構造を有するが鏡像になっており、右下部ストラップの第１の端部２４２ｂは、図８に示す位置でブラジャーの左カップ２１２ａに取り付けられる。着用されたとき、右下部ストラップ２４０ｂは、下方へ延在し、着用者の腹部の周りを延在し、着用者の右脚へと向かい、次いで着用者の背面領域に向かって右脚の外側部分の周りを延在する。図９に示すように、右下部ストラップ２４０ｂは、右脚の後ろの周りを着用者の骨盤領域に向かって延在し、次いで骨盤領域を通って延在し、それによって着用者の前面へと戻る。再び図８に戻ると、右下部ストラップが骨盤領域から終端部２４４ｂまで延在し続けるのが示されている。図８に示すように、右下部ストラップの端部２４４ｂ（第２の端部２４４ｂとも呼ばれる）は、右下部ストラップの中間部に付く。左下部ストラップと同様に、右下部ストラップ２４０ｂは、それが右下部ストラップの中間部に連結することを可能にする、フックなどのアタッチメント機構をその第２の端部２４４ｂに含む。
【００７５】
本発明のこの第２の実施形態の図８および図９に示すように、ブラジャーが着用されたとき、左下部ストラップ２４０ａおよび右下部ストラップ２４０ｂのそれぞれは前面メインパネル２１０から下方へ延在し、各脚の周りを延在し、（着用者の後面から前面へと）着用者の骨盤領域を通って延在し、次いで上方へ延在し、同じ下部ストラップの中間部に取り付けられる（すなわち再取付けされる）。つまり、右下部ストラップは右下部ストラップ自体に再連結し、同様に、左下部ストラップは左下部ストラップ自体に再連結する。
【００７６】
一変形形態では、左下部ストラップおよび右下部ストラップのそれぞれは、着用されたとき、ブラジャーの各カップから下方へ骨盤領域へと延在し、（着用者の前面から後面へと）着用者の骨盤領域を通って延在し、次いで（臀部区域で、またはその近くで）脚の後ろ側の周りを延在し、次いで各ストラップに連結される。
【００７７】
したがって、図８に示すように、着用者が本発明のブラジャー２００を着けるとき、ブラジャー２００の下部ストラップは、２つの異なる方式で連結され得る。一方の方式では、着用者はまず、（脚の外側から脚の内側へと）各下部ストラップを脚の周りに延在させ、（背面から前面へと）骨盤領域を通して延在させ、次いで、終端部２４４ａおよび２４４ｂにおいて各下部ストラップを取り付けることができる。または、本明細書に述べる他方の方式／技法／バージョンでは、着用者はまず、各下部ストラップを（前面から背面へと）骨盤領域を通して延在させ、次いで（脚の内側から脚の外側へと）脚の周りに延在させ、次いで、終端部２４４ａおよび２４４ｂにおいて下部ストラップを取り付けることができる。
【００７８】
着用者が下部ストラップの異なる部分の長さを調節することを可能にするために、第２の実施形態のブラジャー２００は、図８に示すように、下部ストラップ２４０ａ、２４０ｂに沿って、一組のスライダ２４６をさらに含む。スライダ２４６は、よく知られている長さ調節機構である。他の適当な長さ調節機構が利用されてもよい。また、図８に示されるものの変形形態では、ブラジャー２００は、より多いかまたはより少ない長さ調節機構を含んでもよく、上部肩ストラップ２２０ａ、２２０ｂにもこのような長さ調節機構を含んでもよい。したがって、第２の実施形態（および本明細書に述べるその他のあらゆる実施形態）のブラジャー２００は、説明された任意のストラップに、（ゼロを含めて）任意の数の長さ調節機構を含んでもよい。当技術分野ではよく知られているように、このような機構により、快適性、様々な身体のサイズ／体形に適応させること、および他の知られている利益がもたらされる。
【００７９】
本発明の第２の実施形態のブラジャー２００のあらゆる利益に関し、第１の実施形態のブラジャー１００に関して本明細書に記述された利益はすべて、第２の実施形態にも適用可能である。
【００８０】
ブラジャー２００では、本明細書に述べるその十文字構成により、着用者の胸が胸部の中心のほうへと所望の移動をなすことも実現され、これによって谷間が強調される。
【００８１】
さらに、（第１の実施形態のブラジャー１００の背面図を示す）図３と比較して、図９に示す第２の実施形態の背面図から示されるように、ブラジャー２００は、着用者の背中の下方領域全体、また着用者の中央臀部領域および上部臀部領域の、完全に遮るものがない見た目を着用者に提供する。本明細書に説明されるように、ブラジャー２００の下部ストラップ２４０ａ、２４０ｂは、図８および図９に示すように、着用者の脚の周りを延在し、骨盤領域を通って延在する。こうした構造では、ブラジャー２００はその下端部で支持され、つまりブラジャー２００の前面メインパネル２１０は、図９に示すものが着用者の背中から見えるブラジャーの唯一の部分になるように、下方に向かって十分に支持される。したがって、着用者は、必要に応じて、着用者の背中、上部臀部領域、および中央臀部領域の完全に遮るものがない見た目を提供するのに適切な、任意の衣服類を着用することができるようになる。他の利点および特徴は、本明細書に述べる種々の実施形態に関して述べられるものと同様である。
【００８２】
さらに、第２の実施形態のブラジャー２００は、ブラジャー１００に関して先に述べた変形形態のうちのいずれかを含んでもよい。これらには、たとえば異なる材料、形状、ならびに本明細書に述べる他の変形形態および特徴が含まれる。
【００８３】
第３の実施形態；ソングパンティを備える背中開きサポートブラジャー
図１０〜図１４には、本発明の第３の実施形態による背中開きサポートブラジャー３００が示されている。
【００８４】
ブラジャー３００は、第１の実施形態のブラジャー１００に非常に類似しているが、一体型のパンティ（アンダーウェア）３６０を含む。図１０〜図１４に示すように、ブラジャー３００はパンティ３６０を含み、パンティ３６０は、説明されることになる前面パンティパネル３６０Ａと後面パンティパネル３６０Ｂとをそれ自体に含む。
【００８５】
まず図１０を参照すると、ブラジャー３００は、左カップ３１２ａと右カップ３１２ｂとを有する前面メインパネル３１０を含む。ブラジャー３００は、一対の上部肩ストラップ３２０ａ、３２０ｂも含み、肩ストラップは、図１０に示すように、２つのカップ３１２ａ、３１２ｂの上縁部３１４ａ、３１４ｂに取り付けられる。やはり図１０に示すように、ブラジャー３００は、２つのカップ３１２ａ、３１２ｂの下縁部３１６ａ、３１６ｂに取り付けられる一対の下部ストラップ３４０ａ、３４０ｂも含む。
【００８６】
ブラジャー３００の前面メインパネル３１０、カップ３１２ａ、３１２ｂ、上部肩ストラップ３２０ａ、３２０ｂ、および下部ストラップ３１６ａ、３１６ｂの構造および機能は、第１の実施形態のブラジャー１００の対応する構成要素と同じである。したがって、これらの要素／構造、ならびにそれらの各機能（および考えられる変形形態）の詳細は、ここでは繰り返されない。
【００８７】
ブラジャー３００は、前面パンティパネル３６０Ａと後面パンティパネル３６０Ｂとを備える一体型のパンティ３６０を含み、これらの各パンティパネルは、ブラジャーの２つの下部ストラップ３４０ａ、３４０ｂの間に相互連結され、それらの間に延在する。図１０および図１１に示すように、前面パンティパネル３６０Ａは、着用されたとき、着用者の下腹部／骨盤区域で左下部ストラップ３４０ａと右下部ストラップ３４０ｂとの間に延在する。同様に、図１２に示すように、後面パンティパネル３６０Ｂは、着用されたとき、着用者の臀部区域で左下部ストラップ３４０ａと右下部ストラップ３４０ｂとの間に延在する。
【００８８】
パンティパネル３６０Ａ、３６０Ｂは、ソングスタイルの下着として機能するように構成され、材料の量、サイズ、寸法およびストレッチ機能（もしあれば）は、所期の着用者のサイズ／体形、および他の所望の特性に応じて選択される。たとえば、ブラジャー３００のパンティパネル３６０Ａ、３６０Ｂは、ソングスタイルの下着として、パンティラインが出るのを避けるかまたは少なくともそれを最小限にするために、またソングアンダーウェアに典型的な他の有益な特性を提供するために、左下部ストラップ３４０ａと右下部ストラップ３６０ｂの各部分の間に延在するように構成される。
【００８９】
前面パンティパネル３６０Ａおよび後面パンティパネル３６０Ｂは図１０〜図１２に具体的に示されているが、本発明は、これらの図に示されるものの変形形態を含む。一変形形態では、パンティパネル３６０Ａ、３６０Ｂの一方または両方は、着用されたとき、着用者の上でさらに上方へ延在する。したがって、この変形形態では、着用されたとき、着用者の前面骨盤区域は、図１１に示すものよりも広く覆われる。別の変形形態では、着用されたとき、着用者の臀部は、図１２に示すものよりも広く覆われる。さらに別の一変形形態では、パンティパネル３６０Ａ、３６０Ｂの一方または両方は、図１１および図１２に示すよりも狭く前面骨盤区域および／または臀部を覆う。このように、本発明は、着用者の骨盤区域の任意の量および着用者の臀部の任意の量を覆うパンティパネルを含む。
【００９０】
これらの変形形態のうちのいずれかにおける前面パンティパネル３６０Ａおよび後面パンティパネル３６０Ｂは、ステッチング、または他の適した技法により、下部ストラップの種々の部分に接合される／取り付けられる。パンティパネルは、それぞれが単一の一部材で一体の構造であってもよく、互いに縫い付けられる（または他の適当な方式で連結される）複数の部分を有してもよい。ブラジャーのその他の部分と同様に、前面パンティパネルおよび後面パンティパネルは、任意の天然繊維または合成繊維で作られ得る。必要に応じて、パンティパネルは、レースまたはレース状の材料で作られてもよく、レースのカバーまたはレース状のカバーを備えた他の材料で作られてもよい。知られているパンティと同様に、快適さおよび／または美しさなどの種々の目的のために、任意の数の材料またはカバーが利用されてもよい。
【００９１】
着用者が下部ストラップの様々な部分の長さを調節することを可能にするために、第２の実施形態のブラジャー３００は、図１０に示すように、下部ストラップ３４０ａ、３４０ｂに沿って、一組のスライダ３４６をさらに含む。
【００９２】
ブラジャー３００の構造を考慮すると、ブラジャー３００は容易に着脱されることが理解される。着用するためには、着用者は左下部ストラップ３４０ａおよび右下部ストラップ３４０ｂによって形成される脚部ループの中へと踏み込み、２つの上部肩ストラップ（３２０ａ、３２０ｂ）が着用者の肩の上に配置されるまでそれらを引き上げる。
【００９３】
パンティパネル、ブラジャーカップ、および上部肩ストラップは、使いやすく快適な程度の弾力性をもたらす弾性材料で形成されることが好ましい。
【００９４】
本発明の第３の実施形態のブラジャー３００により、着用者の背中の概ね遮るものがない見た目、ならびに第１の実施形態のブラジャー１００に関して既に述べた他の利益および特徴のすべてが実現される。さらに、第１の実施形態に関して本明細書に記述されたあらゆる変形形態は、この第３の実施形態に等しく適用可能である。加えて、ブラジャー３００は、一体型のソングスタイルのパンティと共に、本明細書に言及した任意のドレス、および任意のタイプのドレス、スカート（たとえば深いサイドスリップを備えたスカート）、パンツなどを含めた多くのタイプの他の服と共に着用することができる、オールインワンタイプの下着となる。
【００９５】
第４の実施形態；フルカバーパンティを備える背中開きサポートブラジャー
図１５〜図２１には、本発明の第４の実施形態による背中開きサポートブラジャー４００が示されている。ブラジャー４００は、第３の実施形態のブラジャー３００に非常に類似しているが、ブラジャー４００は、一体型のソングスタイルパネルを有するのではなく、一体型のフルカバーパンティを含む。
【００９６】
図１５および図１６に示すように、ブラジャー４００は、左カップ４１２ａと右カップ４１２ｂとを有する前面メインパネル４１０を有する。また、ブラジャー４００は、２つのカップ４１２ａ、４１２ｂの上縁部４１４ａ、４１４ｂに取り付けられる一対の上部肩ストラップ４２０ａ、４２０ｂと、２つのカップ４１２ａ、４１２ｂの下縁部４１６ａ、４１６ｂに取り付けられる一対の下部ストラップ４４０ａ、４４０ｂとを含む。
【００９７】
ブラジャー４００の前面メインパネル４１０、カップ４１２ａ、４１２ｂ、上部肩ストラップ４２０ａ、４２０ｂ、および下部ストラップ４１６ａ、４１６ｂの構造および機能は、第１の実施形態のブラジャー１００および第３の実施形態のブラジャー３００の両方の、対応する構成要素と同じである。これらの構成要素の詳細は、少なくとも第１の実施形態のブラジャー１００に関連して既に説明されている。したがって、これらの要素／構造、ならびにそれらの各機能（および考えられる変形形態）の詳細は、ここでは繰り返されない。
【００９８】
ブラジャー４００は、フルカバーパンティ４６０を含む。パンティ４６０は、前面パンティパネル４６０Ａと後面パンティパネル４６０Ｂとを含む。前面パンティパネル４６０Ａは第３の実施形態のブラジャー３００の前面パンティパネル３６０Ａと同じであり、したがって前面パンティパネル４６０Ａの詳細な説明は割愛する。しかし、前面パンティパネル３６０Ａと同様に、前面パンティパネル４６０Ａは、図１５および図１６に示すものよりも上方へより高く、またはより低く延在してもよい。
【００９９】
後面パンティパネル４６０Ｂは図１７に示され、また図１８および図１９の側面図に部分的に示されている。後面パンティパネル４６０Ｂは、着用されたとき、着用者の臀部区域で、左下部ストラップ４４０ａの一部と右下部ストラップ４４０ｂの一部との間に延在する。図示されているように、後面パンティパネル４６０Ｂはフルカバースタイルであり、典型的なフルカバースタイルパンティの特徴および利益を備える。
【０１００】
後面パンティパネル４６０Ｂは、図１７〜図１９に具体的に示されているが、本発明は、これらの図に示すものの変形形態を含む。一変形形態では、後面パンティパネル４６０Ｂは、着用されたとき、着用者の上でさらに上方へ延在する。したがって、この変形形態では、着用されたとき、着用者の臀部区域は、図１７に示すものよりも広く覆われる。別の変形形態では、臀部区域は、図１７に示すものよりも狭く覆われる。ブラジャー３００に関して既に述べたように、前面パンティパネル４６０Ａも、各図に示すものとはサイズ／形状が異なっていてもよい。
【０１０１】
ブラジャー４００のパンティは、後面のカバー量、各側での幅、それらが着用される高さなどの基準に基づいて様々なスタイルを提供するようにも構成されてよく、またレッグパンティのスタイルであってもよい。パンティ４６０も、サテン、絹、ＰＶＣ、綿、ナイロン、メッシュ、レース、生皮、革、ラテックス、Ｌｙｃｒａ（商標）、ポリエステル、本明細書に述べる他の材料、または他の適当な既知の材料を含めた、種々の材料および布で作られてもよい。
【０１０２】
既に述べたその他の実施形態と同様に、着用者が種々のストラップの長さを調節することを可能にするために、スライダ４４６が提供される。望みに応じて、より少ないかまたはより多いスライダが提供されてもよい。
【０１０３】
前面パンティパネル４６０Ａおよび後面パンティパネル４６０Ｂは、別個の構成要素でも単一の一体の構成要素でもよく、本明細書に述べる任意の方式で下部ストラップに相互連結され得る。別の変形形態では、パンティ４６０はブラジャー４００の残りの部分から取外し可能であり、面ファスナ技法、スナップタイプの締結具、または他の適当な一時的アタッチメント機構によって、こうした残りの部分に取付け可能である。分離可能なパンティの場合、ブラジャー４００は、必要に応じて構成要素を別々に洗濯することを可能にするだけではなく、様々な装い、様々なスタイル、様々な程度の快適さの利益／特徴を提供するために、様々なタイプのパンティと共に（またはパンティなしで）使用することができる。
【０１０４】
第３の実施形態のブラジャー３００に関して上に述べたように、ブラジャー４００は、ブラジャー１００またはブラジャー３００に関して先に述べた変形形態のうちのいずれかを含んでもよい。これらには、たとえば異なる材料、形状、ならびに本明細書に述べる他の変形形態および特徴が含まれる。
【０１０５】
第５の実施形態；分かれたカップを備える背中開きサポートブラジャー
図２２〜図２８には、本発明の第５の実施形態による背中開きサポートブラジャー５００が示されている。これらの図に示すように、また以下にさらに詳細に説明するように、ブラジャー５００は、連結されていないカップを含み、着用者の胸部中央区域の遮るものがない見た目を提供する方式で、着用者の胸を支持する。このようなブラジャーでは、着用者は、プランジングネックライン、または他のカットの深いネックラインをもつ衣服を着用することができる。このブラジャーもまた、先に述べた実施形態のように「背中開き」である。
【０１０６】
図２２および図２３を参照すると、ブラジャー５００は、左カップ５１２ａおよび右カップ５１２ｂと、一対の肩ストラップ５２０ａ、５２０ｂと、一対の下部ストラップ５４０ａ、５４０ｂとを含む。左カップ５１２ａと右カップ５１２ｂとは連結されておらず、本明細書では「分かれたカップ」と称されることがある。したがって、この第５の実施形態のブラジャー５００は、先に述べた実施形態のように２つのカップを有する前面メインパネルを含まない。
【０１０７】
図２２および図２３に示すように、左上部肩ストラップ５２０ａは左カップに連結され、右上部肩ストラップ５２０ｂは右カップに連結される。左肩ストラップ５２０ａは、第１の端部５２２ａと第２の端部５２４ａとを含む。同様に、右肩ストラップ５２０ｂは、第１の端部５２２ｂと第２の端部５２４ｂとを含む。右肩ストラップ５２０ｂの端部５２４ｂは、図２３にのみ示されている。先に述べた実施形態のように、ストラップは、図２４に示すように着用者の肩の周りを通る。各肩ストラップの第１の端部は、図２３に示すように、各カップの上縁部５１４ａ、５１４ｂで各カップに付く。各肩ストラップの第２の端部は、やはり図２３に示すように、第１の取付け点の近くで各カップに付く。しかし、取付けの具体的な場所は、各図に特に示されるものとは異なっていてもよい。
【０１０８】
ブラジャー５００の上部肩ストラップの機能、サイズ、材料、および他の特性は、これまでの実施形態に述べた通りである。上部肩ストラップ５２０ａ、５２０ｂは、説明される種々の実施形態に関連して本明細書に述べる方式のうちのいずれかで修正されてもよい。
【０１０９】
ブラジャー５００は２つの下部ストラップ５４０ａ、５４０ｂを含み、これらは、本明細書では便宜的に左下部ストラップ５４０ａおよび右下部ストラップ５４０ｂと識別される。左下部ストラップ５４０ａは第１の端部５４２ａと第２の端部５４４ａとを含み、右下部ストラップ５４０ｂは第１の端部５４２ｂと第２の端部５４４ｂとを含む。ブラジャー５００が着用されたときの下部ストラップ５４０ａ、５４０ｂの構造は、図２５および図２６の側面図、図２７の上面図ならびに図２８の下面図と共に、図２３および図２４に示されている。
【０１１０】
左下部ストラップ５４０ａの第１の端部５４２ａは、左カップの下縁部５１６ａで左カップ５１２ａに取り付けられる。左下部ストラップ５４０ａの第２の端部５４４ａは、右カップの下縁部５１６ｂで右カップ５１２ｂに取り付けられる。同様に、右下部ストラップ５４０ｂの第１の端部５４２ｂは、右カップの下縁部５１６ｂで右カップ５１２ｂに取り付けられる。右下部ストラップ５４０ｂの第２の端部５４４ｂは、左カップの下縁部５１６ａで左カップ５１２ａに取り付けられる。
【０１１１】
左下部ストラップおよび右下部ストラップは、ブラジャー５００が着用されたとき、以下の通りに着用者に沿って延在する。再び図２３を参照すると、左下部ストラップ５４０ａは、左カップ５１２ａから下方へ着用者の骨盤領域へと延在し、骨盤領域を通って着用者の臀部区域へと延在する。同様に、右下部ストラップ５４０ｂは、右カップ５１２ｂから下方へ着用者の骨盤領域へと延在し、骨盤領域を通って着用者の臀部区域へと延在する。次いで、図２４の背面図に示すように、左下部ストラップ５４０ａおよび右下部ストラップ５４０ｂは、着用者の臀部を越えて上方へ延在し、着用者のウエスト区域の周りを着用者の前面に向かって延在する。図２４に示すように、左下部ストラップ５４０ａは、着用者のウエストの左側の周りを上方へ前面へと延在し、右下部ストラップ５４０ｂは、着用者のウエストの右側の周りを上方へ前面へと延在する。
【０１１２】
再び図２３を参照すると、（着用者のウエストの左側の周りで背面から前面へと延在してきた）左下部ストラップ５４０ａは、着用者の腹部（すなわちウエストの中央部分）を横切って延在し、右カップ５１２ｂに連結する。反対に、（着用者のウエストの右側の周りでやはり背面から前面へと延在してきた）右下部ストラップ５４０ｂは、着用者の腹部（すなわちウエストの中央部分）を横切って延在し、左カップ５１２ａに連結する。図２３に示すように、左下部ストラップ５４０ａは点「ａ」においてそれ自体に交差し、右下部ストラップ５４０ｂは点「ｂ」においてそれ自体に交差する。
【０１１３】
図に示され、本明細書に述べるように、ブラジャー５００が着用されたとき、左下部ストラップ５４０ａは、着用者の左脚の最上部の周りに延在する。反対に、右下部ストラップ５４０ｂは、着用者の右脚の最上部の周りに延在する。左下部ストラップ５４０ａおよび右下部ストラップ５４０ｂの「左」および「右」という用語は便宜的に提供されているものであることに留意されたく、左下部ストラップはブラジャー５００の左カップと右カップの両方に連結されることが理解される。同様に、右下部ストラップも、左カップと右カップの両方に連結される。
【０１１４】
図２８は、着用者によって着用されたときの本発明の第５の実施形態のブラジャー５００の下面図を示す。サイズおよび他の要因に応じて、このことは特定の人々には当てはまらない場合があるが、左下部ストラップ５４０ａと右下部ストラップ５４０ｂとは概ね、示されているように、着用者の骨盤領域で互いに接触している。
【０１１５】
説明したその他の実施形態と同様に、着用者が種々のストラップの長さを調節するのを可能にするために、スライダ５４６が提供される。望みに応じて、より少ないかまたはより多いスライダが提供されてもよい。
【０１１６】
本明細書に述べる他の実施形態に関して先に述べた他の特徴および変形形態は、この第５の実施形態のブラジャー５００に適用することができる。たとえば、上部肩ストラップおよび／もしくは下部ストラップは各カップに永続的に固定されるかもしくは取り付けられてもよく、または変形形態では、このようなストラップのうちの１つもしくは複数は取外し可能でもよい。別の例として、さらなる支持および／または機能強化を実現するために、左カップおよび右カップはライニングされてもよく、パッドが付けられてもよく、その他の方法で機能強化されてもよい。カップが着用者の胸からずれるのを最小限にするため、かつ／または他の利益／機能を提供するために、シリコーンインサートまたはシリコーンストリップが左カップおよび右カップの内側に含められてもよい。本明細書に述べる他の変形形態も、この実施形態に適用可能である。
【０１１７】
一般に好ましくはないが、別の変形形態では、左下部ストラップは両方の端部でブラジャー５００の左カップに連結され、右下部ストラップは両方の端部でブラジャー５００の右カップに連結される。着用されたとき、２つの下部ストラップは着用者の骨盤領域で互いに交差し、左下部ストラップは着用者の前面で左側から骨盤区域へと延在し、次いで臀部領域の右側を越えて後面側から出てくることを除いて、図２３〜図２７に示す構成が依然として適用可能である。反対に、右下部ストラップは、着用者の前面で右側から骨盤区域へと延在し、次いで臀部領域の左側を越えて後面側から出てくる。この変形形態では、下部ストラップは、図３１の背面図において反転される。
【０１１８】
説明したように、本発明のブラジャー５００は、図２４に示すように着用者の背中の完全に遮るものがない見た目を実現し、同時に図２２および図２３に示すように着用者の胸部中央区域の遮るものがない見た目を実現する方式で、着用者の胸に支持を提供することを含めて、種々の有利な特徴を着用者に提供する。このようなブラジャーの構造および構成では、ブラジャー５００の着用者は、ブラジャーのいかなる部分も見せることなく、深いネックライン、または非常に深い（たとえばプランジング）ネックラインを有する衣服を着用することができる。さらに、着用者は、ブラジャーのいかなる部分も背面から見せることなく背中開きの衣服を着用することもさらに可能になる。さらに、着用者は、ブラジャーのいかなる部分も前面または後面から見せることなく、深い（または非常に深い／プランジング）ネックラインをもつと共に背中開きでもある衣服を着用することができる。したがって、多くのタイプの衣服が本発明のブラジャー５００と共に着用され得る。
【０１１９】
第６の実施形態；ネックホルターによって連結される分かれたカップを備える背中開きサポートブラジャー
図２９〜図３５には、本発明の第６の実施形態による背中開きサポートブラジャー６００が示されている。ブラジャー６００は、ブラジャー６００が２つの肩ストラップではなく単一のネックホルター６２０を含むことを除いて、上述のブラジャー５００に非常に類似している。
【０１２０】
図２９および図３０に示すように、ブラジャー６００は、左カップ６１２ａおよび右カップ６１２ｂと、一対の下部ストラップ６４０ａ、６４０ｂとを含む。左カップは、上縁部６１４ａと下縁部６１６ａとを含む。右カップ６１２ｂは、上縁部６１４ｂと下縁部６１６ｂとを含む。左カップ６１２ａおよび右カップ６１２ｂ、ならびに下部ストラップ６４０ａ、６４０ｂの構造および機能は、第５の実施形態のブラジャー５００の対応する構成要素と同じである。したがって、これらの要素／構造、ならびにそれらの各機能（および変形形態）の詳細は、ここでは繰り返されない。
【０１２１】
ブラジャー６００は単一のネックホルター６２０を含み、ネックホルター６２０は、その２つの端部において、左カップ６１２ａおよび右カップ６１２ｂの各上縁部６１４ａ、６１４ｂで左カップ６１２ａおよび右カップ６１２ｂに連結される。具体的には、図２９に示すように、ネックホルター６２０の第１の端部６２２ａが左カップ６１２ａに取り付けられ、ネックホルター６２０の第２の端部６２２ｂが右カップ６１２ｂに取り付けられる。ブラジャー６００が着用されたとき、ネックホルター６２０は、着用者の首の周りに延在する。その他の実施形態と同様に、ネックホルター６２０および下部ストラップ６４０ａ、６４０ｂは、着用者が種々のストラップの長さを調節するのを可能にするために、スライダ６４６を含む。望みに応じて、（ゼロを含めて）より少ないかまたはより多いスライダが提供されてもよい。
【０１２２】
本明細書に述べる他の実施形態に関して先に述べた他の特徴および変形形態は、この第６の実施形態のブラジャー６００に適用することができる。たとえば、ネックホルターおよび／または下部ストラップは、各カップに永続的に固定されるかもしくは取り付けられてもよく、または変形形態では、このようなストラップのうちの１つもしくは複数は取外し可能でもよい。特にネックホルター６２０に関しては、ネックホルターは、着用者の首の後ろで連結解除され（たとえばほどかれ）得る。ネックホルターは、ほどかれても、当技術分野で知られている任意の方式で連結解除されてもよい。他のバージョンでは、ネックホルターは、既に述べた方式で、ブラジャーのカップの一方または両方から連結解除されてもよい。さらに別のバージョンでは、ネックホルターはカップに永続的に固定される。特に第５の実施形態のブラジャー５００に関して本明細書に述べた他の変形形態、およびその他の実施形態に関して本明細書に述べた他の変形形態も、この実施形態に適用可能である。
【０１２３】
第５の実施形態のブラジャー５００と同様に、ブラジャー６００は、それぞれ図３０および図３１に示すように、着用者の胸部中央区域と着用者の背中の両方の遮るものがない見た目を実現する。さらに、ネックホルター６２０は、胸の重量を支持する十分な強度および着用者の動きに対応する柔軟性を提供する。
【０１２４】
本発明のいくつかの実施形態が説明されてきた。本発明は、ブラジャーの着用者に、本発明のブラジャーの開示したバージョンのうちのいずれかを留める方法をさらに含む。
【０１２５】
着用者が各ブラジャーを着脱するために、種々の方法が採用され得る。たとえば、着用者は、下部ストラップ（下部ストラップは永続的に固定されてもよく、取外し可能に固定されてもよい）によって形成される脚部ループの中へと「踏み込み」、次いで上部肩ストラップまたはネックホルターが着用者の肩または首の上に配置されるまで、それらを引き上げてもよい。
【０１２６】
別の方法では、取外し可能に取り付けられる少なくとも１つの第１の端部および第２の端部を含む下部ストラップを有する本発明のブラジャーを着けるために、着用者は、まず、着用者の身体に上部肩ストラップまたはネックホルターを着けることができる。上部ストラップが配置された後、着用者は、ブラジャーの第１の下部ストラップを着用者の骨盤領域を通して延在させ、着用者の一方の脚の周りに延在させ、また第２の下部ストラップを着用者の骨盤領域を通して延在させ、着用者の他方の脚の周りに延在させ、次いで、１つまたは複数の第１の端部および第２の端部に位置付けられた連結具（たとえば従来の面ファスナ連結具）を使用して、２つのカップの下縁部に沿った種々の場所で、下部ストラップの１つまたは複数の第１の端部および第２の端部を取り付ける。
【０１２７】
上部ストラップおよび下部ストラップが配置された後、着用者は、２つのカップが適当に位置決めされるまで、スライダによって種々のストラップの長さを調節することができる。
【０１２８】
本発明のブラジャーの各バージョンは、着脱のための複数の方式を有し得ることが理解される。本発明のブラジャーの各バージョンに適用可能な、当業者には理解される他の方法が利用されてもよいことを理解されたい。したがって、本発明の意味、範囲および趣旨に収まる他の方法が利用されてもよいことを理解されたい。
【０１２９】
本明細書に述べる各実施形態に関して、多数の機能および利益が説明されてきた。さらに、本明細書に述べる各実施形態に関して、複数の変形形態が説明されてきた。ある実施形態に関して説明された変形形態のすべてかまたはその大部分は、その他の実施形態に適用可能であることが理解される。いくつかの例は以下の通りである。
【０１３０】
着用者が特定のストラップの長さを調節するのを可能にするスライダが、本明細書に示され、かつ／または説明されている。これは、すべての実施形態に適用可能である。スライダの数は、言及した数とは異なっていてもよい。したがって、各ストラップは、ゼロ、１つ、２つ、またはそれ以上の、このような長さ調節機構を含んでもよい。当技術分野では容易に理解されるように、他の長さ調節機構が利用されてもよい。
【０１３１】
各実施形態における種々のストラップは、カップまたは他の構成要素に永続的に固定されてもよく、または他の変形形態では、各構成要素に取付け可能／各構成要素から取外し可能でもよい。面ファスナタイプの連結具、ボタン、フック、スナップ、ジッパー、バックル、フロッグ締結具、トグル締結具、本明細書に述べた他の技法、他の適したタイプの連結技法などのアタッチメント機構が利用されてもよい。本明細書に述べる、ストラップまたは他の構成要素がカップなどの別の構成要素に永続的に固定されるバージョンでは、永続的に固定する方式は、互いにステッチングする、糊付けする、または他の永続的固定技法を含む、当技術分野で知られている任意の適した方式でもよい。
【０１３２】
ストラップ、カップ、および他の要素を含めて、本明細書に述べる各実施形態の種々の構成要素は、図に示すものとは異なる寸法および／または形状を有してもよい。たとえば、本明細書に述べるストラップは、より幅が狭くても幅が広くてもよく、直線的形状でも、湾曲した形状でも、非直線的形状でも、波の形状でも、別の形状でもよく、厚みも様々でよい。本明細書に述べる様々な構成要素は、本明細書に言及した材料および本明細書には言及していない適した材料を含めた、任意の数の材料から製造されてもよい。当業者なら理解するように、利用される材料の弾性（もしあれば）、および他の特性は様々であり得る。その種々の実施形態における本発明は、いかなる特定の色（または色がないこと）にも限定されない。
【０１３３】
説明された各実施形態のカップは、図に示すものとは異なる形状を有してもよい。たとえば、カップはフルカバータイプのカップでもよく、部分的にカバーするタイプのカップでもよい。カップは、丸い形状でもよく、三角形などの他の形状を有してもよく、奇抜なデザインを有しても、他の一般的な形状または変わった形状を有してもよい。カップは、図に示すように無地でもよく、部分的に無地でもよい。したがって、本明細書において使用される「カップ」という用語は、快適さ、健康、もしくは他の目的のために胸の重量の分散を可能にすること、ブラジャーの上に着用される衣類の見た目をよくすること、または他の目的を含むがこれらに限定はされない、ブラジャーに典型的な１つまたは複数の目的のために、全体的にまたは部分的に胸を支持する構造体を意味する。
【０１３４】
本明細書に述べるいくつかの実施形態では、ブラジャーにパンティが組み込まれる。ソングスタイルタイプであろうとフルカバータイプであろうと、パンティが、本明細書に述べる実施形態およびその変形形態のうちのいずれかに組み込まれ得る。パンティは、ソングスタイル／フルカバータイプの組合せであってもよく、本明細書にこれまで述べられていないパンティタイプであってもよい。いくつかのバージョンでは、パンティは、ブラジャーのその他の構成要素（たとえば下部ストラップ）に固定される。さらに他のバージョンでは、パンティは、ブラジャーのその他の構成要素に取外し可能に取付け可能である。当業者なら理解するように、各パンティ構成要素の特定のサイズ、形状、および他の特性は様々であり得る。各パンティ構成要素の前面および／または後面のカバー量は、望みに応じて修正されてもよい。
【０１３５】
第６の実施形態のブラジャー６００は、２つの肩ストラップではなくネックホルターを含む。したがって、本明細書に述べるその他の各実施形態は、肩ストラップではなく単一のネックホルターを利用してもよい。このような変形形態では、ネックホルターは、取外し可能でもよく、種々の実施形態のカップおよび／またはメインパネルに永続的に固定されてもよく、本明細書に述べる他の特徴および変形形態を有してもよい。
【０１３６】
本明細書では、参照および説明を容易にするためにいくつかの用語が使用される。しかし、当業者なら理解するように、発明の背中開きブラジャーの種々の要素および構成要素を指すために使用されるラベルは修正されてもよい。たとえば、左カップおよび右カップ、左下部ストラップおよび右下部ストラップなどではなく、第１のカップおよび第２のカップ、第１の下部ストラップおよび第２の下部ストラップなどの用語が適当に利用されてもよい。本発明の意味、範囲、および趣旨に含まれる他の適した術語がさらに利用されてもよい。
【０１３７】
上述の他の変形形態は、説明したあらゆる実施形態に適用可能である。本発明は、その変形形態を含め、特定の概略図および説明を参照して述べられてきたが、本発明の趣旨および範囲から逸脱しない限り、種々の他の変更をなしてもよいことが、上記に鑑みて理解される。当業者には理解される、こうした他の変形形態がなされてもよい。したがって、本発明の意味、範囲および趣旨に収まる他の方策／変形形態が利用されてもよいことを理解されたい。
【０１３８】
種々の特徴およびその変形形態を含めて本発明を説明してきたが、添付の特許請求の範囲は、本明細書に述べる実施形態、上述の代替形態、およびそれらのあらゆる均等物を含むと解釈されることを意図したものである。
【０１３９】
凡例
以下の表１〜表６は、表の形態で、本出願の各図における種々の要素および構成要素を識別するために提供される。各要素および構成要素の詳細は、本明細書に述べられている。
【０１４０】
以下の表１は、本明細書に述べる各実施形態の各図において概略的に示される、着用者の各部分を示す。
【０１４１】
【表１】
2019525021.tif 000003
【０１４２】
以下の表２は、図１〜図７に示す第１の実施形態による背中開きサポートブラジャーの各部分を示す。
【０１４３】
【表２】
2019525021.tif 000004
【０１４４】
以下の表３は、図８および図９に示す第２の実施形態による背中開きサポートブラジャーの各部分を示す。
【０１４５】
【表３】
2019525021.tif 000005
【０１４６】
以下の表４は、図１０〜図１４に示す第３の実施形態による背中開きサポートブラジャーの各部分を示す。
【０１４７】
【表４】
2019525021.tif 000006
【０１４８】
以下の表５は、図１５〜図２１に示す第４の実施形態による背中開きサポートブラジャーの各部分を示す。
【０１４９】
【表５】
2019525021.tif 000007
【０１５０】
以下の表６は、図２２〜図２８に示す第５の実施形態による背中開きサポートブラジャーの各部分を示す。
【０１５１】
【表６】
2019525021.tif 000008
【０１５２】
以下の表７は、図２９〜図３５に示す第６の実施形態による背中開きサポートブラジャーの各部分を示す。
【０１５３】
【表７】
2019525021.tif 000009
【図１】
2019525021.tif 000010
【図２】
2019525021.tif 000011
【図３】
2019525021.tif 000012
【図４】
2019525021.tif 000013
【図５】
2019525021.tif 000014
【図６】
2019525021.tif 000015
【図７】
2019525021.tif 000016
【図８】
2019525021.tif 000017
【図９】
2019525021.tif 000018
【図１０】
2019525021.tif 000019
【図１１】
2019525021.tif 000020
【図１２】
2019525021.tif 000021
【図１３】
2019525021.tif 000022
【図１４】
2019525021.tif 000023
【図１５】
2019525021.tif 000024
【図１６】
2019525021.tif 000025
【図１７】
2019525021.tif 000026
【図１８】
2019525021.tif 000027
【図１９】
2019525021.tif 000028
【図２０】
2019525021.tif 000029
【図２１】
2019525021.tif 000030
【図２２】
2019525021.tif 000031
【図２３】
2019525021.tif 000032
【図２４】
2019525021.tif 000033
【図２５】
2019525021.tif 000034
【図２６】
2019525021.tif 000035
【図２７】
2019525021.tif 000036
【図２８】
2019525021.tif 000037
【図２９】
2019525021.tif 000038
【図３０】
2019525021.tif 000039
【図３１】
2019525021.tif 000040
【図３２】
2019525021.tif 000041
【図３３】
2019525021.tif 000042
【図３４】
2019525021.tif 000043
【図３５】
2019525021.tif 000044
【図３６】
2019525021.tif 000045
【図３７】
2019525021.tif 000046
【図３８】
2019525021.tif 000047
【手続補正書】
【提出日】令和1年5月24日(2019.5.24)
【手続補正１】
【補正対象書類名】図面
【補正対象項目名】図６
【補正方法】変更
【補正の内容】
【図６】
2019525021.tif 000048
【手続補正２】
【補正対象書類名】図面
【補正対象項目名】図１７
【補正方法】変更
【補正の内容】
【図１７】
2019525021.tif 000049
【国際調査報告】
2019525021.tif 000050